(57)【要約】      （修正有）【課題】カレンダーのような複数枚の冊子を接着剤の使用をせずサイドを確りと押えながら、しっかりと綴じられる紙製綴じ具を提供する。【解決手段】表紙本体１と裏紙本体５との間に形成された綴じ代２を中心に山折りし、表紙本体１の側面差込片３を前記表紙本体１の裏面に接触するまで折り曲げる。次に裏紙本体５の側面折込片７を表紙本体１と側面差込片３との間に差し込む。冊子挿入溝に折曲紙止め片４を折り曲げて冊子の裏面に通す。冊子の裏面に出た前記折曲紙止め片４を折り曲げて裏紙本体５の切れ込み溝６に通して固定し、完成する。【選択図】図２
0003149474.tif 000002
【実用新案登録請求の範囲】
【請求項１】
カレンダーのような冊子の横幅を有する長方形の表紙本体と、該表紙本体の短辺側に前記冊子の厚さに相当する綴じ代部分を介して前記冊子の裏面側に差し込まれる側面差込片を前記表紙本体の短辺幅で一体に形成し、前記表紙本体の長辺側に前記冊子に形成された冊子挿入溝に一致する位置に前記冊子挿入溝を通して裏面側へ抜ける長さの折曲紙止め片を突出形成し、そして前記表紙本体の反対側の長辺側に前記冊子の厚さに相当する綴じ代部分を介して前記表紙本体１と同一形状の裏紙本体を一体に形成し、前記裏紙本体には前記冊子に形成された冊子挿入溝に一致する裏紙本体部分に前記表紙本体の折曲紙止め片が差し込み固定される切れ込み溝をそれぞれ形成し、また前記裏紙本体の長辺側の左右両側に前記裏紙本体の短辺端を延長した方向に前記表紙本体の側面差込片の幅及び長さで側面折込片をそれぞれ形成したことを特徴とする紙製綴じ具。
【考案の詳細な説明】
【技術分野】
【０００１】
本考案は、接着剤や止め金具を使用しない、カレンダーのような複数枚の紙を束ねた冊子を綴じる紙製綴じ具に関する。
【背景技術】
【０００２】
従来、紙を複数枚綴じてカレンダーのように、めくられ、剥がされるようにした冊子を綴じる場合には、スティプラーのように複数枚の紙に針を通しとめる方法や金属板を冊子と共に挟み込み、加圧しながら折り曲げて綴じる方法、多数個の孔を設けホットメルトのような樹脂材を注入し厚紙と接着するもの、多数個の穴にリング状に加工した金属の綴じ具を通す方法などが知られている。
金属・プラスチック・合成樹脂製の接着剤など焼却する際に公害を発生させる材料を使用することを避け、分別リサイクルを簡単に行えるように、紙だけで作られる環境に優しい綴じ具も開発されている。
【０００３】
従来、カレンダー冊子をホットメルトのような接着剤を使用せずに、厚紙製の綴じ具のみで十分に強度のある綴じ構造の紙製綴じ具によるカレンダーが知られている（特許文献１を参照）。
この公知技術では、カレンダー冊子の上部を綴じる厚紙製綴じ具の綴じ片下辺に、補強片を連設して、これらの補強片を綴じ片の内側へ二重に折り重ねることで、補強片に元へ戻ろうとする反発力を生じさせ、この反発力を利用して接着剤を用いずに冊子綴じ部を綴じ片に挟着支持し、一方の綴じ片に設けた係止辺は、冊子上端綴じ部に設けた挿通孔内を通して後、他方の綴じ片と補強片との間に設けた差込み孔内へ挿着するものである。
【０００４】
しかし、紙製綴じ具でプラスチック製や金属製の綴じ具のようにしっかりと固定されるものを作る場合には、かなり厚さのある紙を二重に折り曲げ、強度を増して装着する方法や、紙を固定する方法をしないでリング状にして冊子部分の挿入溝に通した後紙を接着し綴じる方法などで、毎月のようにめくられて剥がし切るタイプのカレンダーの綴じ具においては、サイドからの紙の広がりを抑える効果が弱く、剥がし切る時の強度に問題があった。
【特許文献１】特開２００７−１０５８８４号公報
【考案の開示】
【考案が解決しようとする課題】
【０００５】
本考案は、カレンダーのような複数枚の冊子を接着剤の使用をせずサイドを確りと押えながら、極端に厚い紙でなくてもしっかりと綴じられる紙製綴じ具を提供することを目的とする。
【課題を解決するための手段】
【０００６】
本考案の紙製綴じ具は、カレンダーのような冊子の横幅を有する長方形の表紙本体と、該表紙本体の短辺側に前記冊子の厚さに相当する綴じ代部分を介して前記冊子の裏面側に差し込まれる側面差込片を前記表紙本体の短辺幅で一体に形成し、前記表紙本体の長辺側に前記冊子に形成された冊子挿入溝に一致する位置に前記冊子挿入溝を通して裏面側へ抜ける長さの折曲紙止め片を突出形成し、そして前記表紙本体の反対側の長辺側に前記冊子の厚さに相当する綴じ代部分を介して前記表紙本体１と同一形状の裏紙本体を一体に形成し、前記裏紙本体には前記冊子に形成された冊子挿入溝に一致する裏紙本体部分に前記表紙本体の折曲紙止め片が差し込み固定される切れ込み溝をそれぞれ形成し、また前記裏紙本体の長辺側の左右両側に前記裏紙本体の短辺端を延長した方向に前記表紙本体の側面差込片の幅及び長さで側面折込片をそれぞれ形成したものである。
【考案の効果】
【０００７】
本考案の紙製綴じ具は、側面方向から左右側を止めるサイドを固定する折り部分があることで、本体冊子・サイド側・背面・サイド側ガイド止め部の相互作用により、接着しなくても引っ張りにも外れず、煽っても外れない効果がある。
左右側ガイドがあるため、多少の挿入溝の幅が違っていても固定することが可能。
操縦溝の大きさが係り止めとなる部分よりも大きくなって全体を揃えて固定しておくことができる。
また挿入溝も１個から可能となる。
薄い紙や書き込むために裏に台紙になるような部分を必要としても、折りこむ部分が一部のため止め具と同じ紙質の台紙をつけることが可能。
接着を必要としない組み立て型のため、分解しても再び組み立てられる。
また冊子部分と綴じ具部分と別々にすることが容易である。
係り止め部分の長さを長くすることや、挿入溝の数を増やすことで、数百枚の紙を綴じることが可能。
【考案を実施するための最良の形態】
【０００８】
本考案の紙製綴じ具の一実施例を添付図面に基づいて、以下に説明する。
図１の本考案の紙製綴じ具の展開図に示すように、カレンダーのような冊子Ｌの横幅を有する長方形の表紙本体１と、該表紙本体の短辺側に前記冊子の厚さに相当する綴じ代部２分を介して前記冊子の裏面側に差し込まれる側面差込片３を前記表紙本体１の短辺幅で一体に形成する。
更に、前記表紙本体１の長辺側に前記冊子Ｌに形成された冊子挿入溝Ｍに一致する位置に前記冊子挿入溝を通して裏面側へ抜ける長さの折曲紙止め片４を突出形成する。
そして、前記表紙本体１の反対側の長辺側に前記冊子の厚さに相当する綴じ代２部分を介して前記表紙本体１と同一形状の裏紙本体５を一体に形成する。
さらに、前記裏紙本体５には、前記冊子に形成された冊子挿入溝に一致する裏紙本体５部分に前記表紙本体１の折曲紙止め片３が差し込み固定される切れ込み溝６をそれぞれ形成する。
また、前記裏紙本体５の長辺側の左右両側に前記裏紙本体５の短辺端を延長した方向に前記表紙本体１の側面差込片３の幅及び長さで側面折込片７をそれぞれ形成する。
【０００９】
次に、本考案の紙製綴じ具の組立て動作を添付図面に基づいて、以下に説明する。
本考案の紙製綴じ具は、図２に示すように、表紙本体１と裏紙本体５との間に形成された綴じ代２を中心に山折りし、表紙本体１の側面差込片３を前記表紙本体１の裏面に接触するまで折り曲げる。
次に、引っくり返して図３に示すように、裏紙本体５の側面折込片７を表紙本体１と側面差込片３との間に差し込む。そして、図３に示すものをさらに戻して、図４に示すように、カレンダーのような冊子Ｌの冊子挿入溝Ｍの位置に前記表紙本体１の折曲紙止め片４が来るように前記冊子Ｌの上部が表紙本体１と裏紙本体５との間に来るように差し込み、図５に示すように、前記冊子挿入溝Ｍに前記折曲紙止め片４を折り曲げて冊子Ｌの裏面に通す。そして、図６に示すように、冊子Ｌの裏面に出た前記折曲紙止め片４を折り曲げて裏紙本体５の切れ込み溝６に通して固定し、完成する。
【００１０】
前述の紙製綴じ具の組立て動作は半完成品を形成して紙製綴じ具の組立を行ったが、完全に組み立てながら完成品を形成することもできる。
図７に示すように、カレンダーのような冊子Ｌの冊子挿入溝Ｍに折曲紙止め片４を表面から裏面に通し、図８に示すように、表紙本体１の側面差込片３を内方へ前記冊子Ｌに接触するまで折り曲げる。
図９に示すように、裏紙本体５を表紙本体１と裏紙本体５との間に形成された綴じ代２を中心に前記冊子Ｌ側へ重なるまで折り曲げ、その際図１０に示すように側面折込片７を表紙本体１と側面差込片３との間に差し込む。
そして、最後に裏面に出ている折曲紙止め片４を折り曲げて裏紙本体５の切れ込み溝６に通して固定し、完成する。
【図面の簡単な説明】
【００１１】
【図１】本考案の紙製綴じ具の展開図である。
【図２】本考案の紙製綴じ具の組立て動作を示す紙製綴じ具の斜視図である。
【図３】本考案の紙製綴じ具の組立て動作を引っくり返して示す紙製綴じ具の斜視図である。
【図４】本考案の紙製綴じ具の組立て動作を示す紙製綴じ具と冊子との正面図である。
【図５】本考案の紙製綴じ具の組立て動作を示す完成状態の正面図である。
【図６】本考案の紙製綴じ具の組立て動作を示す完成状態の背面図である。
【図７】本考案の紙製綴じ具の組立て動作１を示す正面図である。
【図８】本考案の紙製綴じ具の組立て動作２を示す正面図である。
【図９】本考案の紙製綴じ具の組立て動作３を示す正面図である。
【図１０】本考案の紙製綴じ具の組立て動作４を示す正面図である。
【図１１】本考案の紙製綴じ具の組立て動作５を示す正面図である。
【符号の説明】
【００１２】
１  表紙本体
２  綴じ代
３  側面差込片
４  折曲紙止め片
５  裏面本体
６  切り込み溝
７  側面折込片
Ｌ  冊子
Ｍ  冊子挿入溝
【図１】
0003149474.tif 000003
【図２】
0003149474.tif 000004
【図３】
0003149474.tif 000005
【図４】
0003149474.tif 000006
【図５】
0003149474.tif 000007
【図６】
0003149474.tif 000008
【図７】
0003149474.tif 000009
【図８】
0003149474.tif 000010
【図９】
0003149474.tif 000011
【図１０】
0003149474.tif 000012
【図１１】
0003149474.tif 000013